(57)【要約】  【課題】  視聴しているコンテンツを、時間的な遅れを発生させることなく記録できるようにする。  【解決手段】  コンテンツデータをＭＰＥＧコーデック１０８で符号化して、録画制御用バッファ１０９に保存し、さらに符号化されたコンテンツデータをＭＰＥＧデコーダ１１８でデコードし、ビデオプロセッサ１１９で処理してディスプレイ１２１で表示する。ディスプレイ１２１で表示されているコンテンツを記録する場合に、ＭＰＥＧデコーダ１１８で処理されているＭＰＥＧのフレームをフレーム検出部１２２で検出し、録画制御バッファ１０９で保存されているコンテンツデータから、検出されたフレーと同等のフレームを特定し、特定したフレームからデータ蓄積メディアに記録するように構成した。  【選択図】図１
2006019856.tif 000002
【特許請求の範囲】
【請求項１】
コンテンツ供給手段から供給されたコンテンツデータを所定時間保存して出力するバッファ手段と、
データ蓄積メディアと、
前記バッファ手段から出力されるコンテンツデータの映像コンテンツを表示させる表示手段と、
ユーザによって操作されるイベント入力手段と、
前記映像コンテンツを表示手段で表示している状態において、前記イベント入力手段によって、記録イベントが入力された際に、前記映像コンテンツデータのフレームを検出すると共に、当該フレームに基づいて前記バッファ手段で保存されているコンテンツデータから記録対象フレームを特定し、前記バッファに保存されたコンテンツデータを前記特定されたフレームから前記データ蓄積メディアに記録する制御手段と、
を具備したことを特徴とするコンテンツ記録装置。
【請求項２】
コンテンツデータのＭＰＥＧ符号化処理を含むコンテンツデータ処理手段と、
前記符号化されたコンテンツデータを所定時間保存して出力するバッファ手段と、
データ蓄積メディアと、
前記符号化されたコンテンツデータを復号して、映像データを表示させる表示手段と、
ユーザによって操作されるイベント入力手段と、
前記映像データを表示手段で表示している状態において、前記イベント入力手段によって、記録イベントが入力された際に、前記復号されるコンテンツデータのフレームを検出すると共に、当該検出されたフレームに基づいて前記バッファ手段で保存されているコンテンツデータから記録対象フレームを特定し、バッファに保存されたコンテンツデータを前記特定されたフレームから前記データ蓄積メディアに記録する制御手段と、
を具備したことを特徴とするコンテンツ記録装置。
【請求項３】
コンテンツデータ供給源から供給されるコンテンツデータを所定時間保存して出力するバッファ手段と、このバッファ手段から出力されるコンテンツデータを蓄積するデータ蓄積手段と、コンテンツデータを送信すると共に送られてくる制御情報を受信する通信手段を備えた記録機器と、
前記記録機器から通信手段を介して送られる前記コンテンツデータを受信すると共に、前記制御情報を送信する通信手段と、前記受信されたコンテンツデータを提示する提示手段とを備えたモニタと、
提示しているコンテンツデータのフレームを検出し、当該フレーム情報を前記制御情報として、前記記録機器に送って、前記バッファ手段に書込まれているコンテンツデータの中から、前記フレーム情報に対応するコンテンツデータを特定して、前記データ蓄積手段に書込む制御手段と、
を具備したことを特徴とするコンテンツ記録装置。
【発明の詳細な説明】
【技術分野】
【０００１】
本発明は、例えばデジタル放送信号を受信して映像及び音声を含むコンテンツを出力する受信機器と、この受信機器から出力されるコンテンツを受けて提示するモニタ機器とを、双方向通信可能に接続し、モニタ側から伝送される制御信号に基づいて、受信器で得たコンテンツを記録するように構成されたコンテンツ記録装置に関する。
【背景技術】
【０００２】
放送を受信してコンテンツを得る受信器をコンテンツ供給源として設定し、離れた位置に設置した液晶表示パネル（LCD: Liquid Crystal Display）に映像信号及び音声信号を無線によって伝送して、それらを提示するように構成されたシステムが、市場に登場しつつある。
【０００３】
このようなシステムにおいては、無線通信手段として、例えばブルートゥース（Bluetooth）（登録商標）を用いて、コンテンツ供給源とモニタとで双方向の通信を可能となるように設定し、モニタ側から受信器に対して、受信チャンネル切換指示等のコマンドを送って、受信器を制御し、出力されるコンテンツを選択したりすることができる。
【０００４】
また、このようなシステムにおいては、受信器にＤＶＤ（Digital Versatile Disk）ドライブあるいはＨＤＤ（Hard Disk Drive）等の記録メディアを搭載して、放送信号を受信して得たコンテンツを記録する機能を搭載しているものもあり、そのような受信器の記録動作の制御についても、モニタ側から制御信号を送って、実行させることが可能である。
【０００５】
例えば、受信器から送出されてモニタの表示画面で表示されている放送番組の記録をしたいと思い立ったら、ユーザは、例えばモニタのリモートコントローラを操作してモニタに録画要求を行い、モニタはそれを受けて、リモートコントロール信号(リモコン信号)を無線通信手段を介して、受信器に送って、受信器に記録動作を実行させる。
【０００６】
ＤＶＤドライブを用いて録画する場合、ＤＶＤレコーディングのフォーマット規格がＭＰＥＧ（Moving Picture Experts Group）２−ＰＳ（Program Stream）に基づいているため、受信器は、デジタル放送を受信して、まずＭＰＥＧ２−ＴＳ（Transport Stream）として送られてくるコンテンツデータをデコードする。次いで、デコードしたデータをＭＰＥＧ２−ＰＳに符号化してからＤＶＤドライブで録画する。
【０００７】
このように、デジタル放送番組を録画する場合には、複雑な信号処理を行う必要があるため、そのための時間も相当必要であり、ユーザがモニタで番組を視聴中に、録画したいシーンになったということでリモートコントローラを操作しても、実際に録画が開始されるタイミングは、そのシーンよりかなり後のシーンからとなってしまい、期待した録画が実行できないということが起こる。
【０００８】
さらにその詳細について説明する。図５は、双方向無線通信手段を用いた、一般的なコンテンツ記録装置の回路ブロックを示すもので、図５（ａ）は受信器５０１を示し、図５（ｂ）はモニタ５０２を示す。
【０００９】
受信器５０１は、放送を受信するためのアンテナ５０３からの放送信号から所望のチャンネルを選局して、ＭＰＥＧ２−ＴＳを出力するチューナ５０４を備える。
【００１０】
チューナ５０４の出力は、セレクタ５０５に供給され、ここで、外部入力端子５０６から供給される例えばＤＶＤプレーヤの再生信号等と切換選択されて出力される。
【００１１】
セレクタ５０５の出力は、ＭＰＥＧデコーダ５０７でデコードされ、非圧縮のデジタル映像信号及びデジタル音声信号に変換されてＭＰＥＧコーデック５０８に供給される。
【００１２】
ＭＰＥＧコーデック５０８では、ＭＰＥＧ２の符号化処理を行い、ＭＰＥＧ２−ＰＳをＡＴＡ（AT Attachment）Ｉ／Ｆ（Interface）５０９を介してデータ記録メディア５１０に記録する。
【００１３】
また、ＭＰＥＧコーデック５０８では、番組を構成するＭＰＥＧ２−ＰＥＳ（Packetized Elementary Stream）を生成して出力し、これをＭＰＥＧコンバータ５１１でＭＰＥＧ２−ＴＳに変換して無線送受信モジュール５１２に出力する。
【００１４】
無線送受信モジュール５１２では送られたＭＰＥＧ２−ＴＳを無線フレーム変換して送受信アンテナ５１３から送出する。
【００１５】
また、無線送受信モジュール５１２は、モニタ５０２からのリモコン信号あるいはモニタの動作ステータス情報を送受信アンテナ５１３で受け、これをＣＰＵ（Central Processing Unit）５１４に送る。ＣＰＵ５１４によって、録画動作が開始されると共に、受信器５０１内の各回路部分が制御される。
【００１６】
図５（ｂ）に示すように、モニタ５０２は、受信器５０１の送受信アンテナ５１３から送られる無線フレーム変換されたＭＰＥＧ２−ＴＳを送受信アンテナ５１５で受け、送受信モジュール５１６で無線フレーム変換してＭＰＥＧ２−ＴＳに戻し、ＭＰＥＧデコーダ５１７に出力する。
【００１７】
ＭＰＥＧデコーダ５１７では、ＭＰＥＧ２−ＴＳから番組を構成するＰＥＳを抽出してデコードしてビデオプロセッサ５１８に出力する。ビデオプロセッサ５１８では、ＭＰＥＧデコーダ５１７からのデジタル映像信号を標準テレビジョンフォーマットの信号に変換してディスプレイコントローラ５１９に供給し、ディスプレイコントローラ５１９は、映像データに基づいて液晶パネル等でなるディスプレイ５２０を駆動して表示させる。
【００１８】
モニタ５０２には、図示しないリモートコントローラからのリモコン信号を受けるリモコン受光部５２１が設けられ、リモコン受光部５２１で受けたリモコン信号は、ＣＰＵ５２２に供給され、モニタ５０２内の各回路部分を制御する。また、受信器５０１に関するリモコン信号は、ＣＰＵ５２２から無線送受信モジュール５１６に送られ、無線フレーム変換されて送受信アンテナ５１５から受信器５０１に伝送される。また、ＣＰＵ５２２は、モニタ５０２の動作状態を示すステータス情報を無線送受信モジュール５１６に送り、無線フレーム変換処理を施して送受信アンテナ５１５から受信器５０１に伝送される。
【００１９】
以上のように構成されたコンテンツ記録装置の動作タイミングについて、図６を参照して説明する。図６では、ユーザがチャンネル切換のイベントを入力したときと、録画開始のイベント入力をしたときの処理の時間的経過を示しており、チャンネル切換の処理を点線６０１で示し、録画開始の処理を実線６０２で示している。
【００２０】
ユーザが、図示しないリモートコントローラを操作して、チャンネル切換のイベント入力をしたとすると、モニタ５０２のＣＰＵ５２２がそれを受けて、リモコン信号を無線送受信モジュール５１６に送り、無線送受信モジュール５１６では無線フレーム変換処理を行う。
【００２１】
次に、無線送受信モジュール５１６は、無線フレーム変換されたリモコン信号を無線で受信器５０１に送り、受信器５０１では送られたリモコン信号を無線フレーム変換処理で元に戻す。
【００２２】
次に、受信器５０１はＣＰＵ５１４でリモコン信号を解読して、チューナ５０４のチャンネルを切換える。さらに、チューナ５０４で受信した信号のデコード及びエンコード処理を実行して、ＴＳへのストリーム変換処理を行う。さらに変換されたＭＰＥＧ２−ＴＳを、無線フレーム変換を経て無線通信でモニタ５０２に送る。
【００２３】
モニタ５０２では、受信器５０１から送られた信号に対して無線フレーム変換を実行した後、ストリームデコード処理を実行しさらにビデオプロセッサで処理して、ディスプレイに表示させる。それによってユーザが画面を確認することができる。
【００２４】
ユーザがチャンネル切換のイベントを入力してから、選択されたチャンネルの映像がディスプレイで表示されるまでの、処理の過程でそれぞれ所定の処理時間が費やされ、結局、トータルとしてＴａ時間が必要になることが示されている。
【００２５】
さらに、図６において、ユーザが録画開始を指示するイベントを入力したとすると、受信器のＣＰＵ制御までは、チャンネル切換と同等の時間経過で処理が実行され、受信器のＣＰＵ５１４は、モニタ５０２から送られたリモコン信号を解読して、ＭＰＥＧコーデック５０８を駆使して、ＭＰＥＧ２−ＰＳへのエンコード処理を行わせ、これをＡＴＡＩ／Ｆ５０９を介してデータ蓄積メディア５１０へ記録させる。
【００２６】
この場合、ユーザが録画開始イベントを入力してから録画が開始されるまで、時間Ｔｂ必要であることがわかる。
【００２７】
以上のように、従来、モニタで視聴している途中でコンテンツを記録しようとする場合、コンテンツの復号処理、符号化処理を行うために要する時間によって、実際に記録を開始するタイミングが遅れてしまって、視聴している内容をそのままのまま記録することができないという問題を有していた。
【００２８】
従来、例えば、特許文献１には、ＤＶＤプレーヤにおいて、バッファリング技術を用いて、サブピクチャの表示や音声の再生を滞らせることなく出力するようにした提案が示されているが、この提案は、ＤＶＤレコーダ内で収束する技術であり、コンテンツをモニタで視聴している途中で、そのコンテンツを記録しようとする装置にそのまま適用することはできない。
【特許文献１】特開２００３−４６９６０号公報
【発明の開示】
【発明が解決しようとする課題】
【００２９】
以上のように、従来、コンテンツをモニタで視聴している際に、そのコンテンツの記録を行わせようとすると、記録開始のタイミングが遅れて、視聴している内容をそのまま記録することができなかった。
【００３０】
本発明は、以上の点に対処してなされたものであり、コンテンツを視聴している際に、コンテンツを記録するための信号処理を行い、かつそれをバッファ手段で所定時間保持するようにすると共に、モニタで視聴しているフレームを常に監視して、ユーザから記録開始の指示が入力された際に、そのフレームを検出して、それに基づいて、バッファ手段で保持されているコンテンツのフレームを特定して、そのフレームから記録を開始させるように構成することで、時間遅れを発生させることなく記録動作を実行させることができるようにしたコンテンツ記録装置を提供することを目的とする。
【課題を解決するための手段】
【００３１】
本発明のコンテンツ記録装置は、コンテンツ供給手段から供給されたコンテンツデータを所定時間保存して出力するバッファ手段と、データ蓄積メディアと、前記バッファ手段から出力されるコンテンツデータの映像コンテンツを表示させる表示手段と、ユーザによって操作されるイベント入力手段と、前記映像コンテンツを表示手段で表示している状態において、前記イベント入力手段によって、記録イベントが入力された際に、前記映像コンテンツデータのフレームを検出すると共に、当該フレームに基づいて前記バッファ手段で保存されているコンテンツデータから記録対象フレームを特定し、前記バッファに保存されたコンテンツデータを前記特定されたフレームから前記データ蓄積メディアに記録する制御手段と、を具備したことを特徴とする。
【００３２】
本発明のコンテンツ記録装置は、コンテンツデータのＭＰＥＧ符号化処理を含むコンテンツデータ処理手段と、前記符号化されたコンテンツデータを所定時間保存して出力するバッファ手段と、データ蓄積メディアと、前記符号化されたコンテンツデータを復号して、映像データを表示させる表示手段と、ユーザによって操作されるイベント入力手段と、前記映像データを表示手段で表示している状態において、前記イベント入力手段によって、記録イベントが入力された際に、前記復号されるコンテンツデータのフレームを検出すると共に、当該検出されたフレームに基づいて前記バッファ手段で保存されているコンテンツデータから記録対象フレームを特定し、バッファに保存されたコンテンツデータを前記特定されたフレームから前記データ蓄積メディアに記録する制御手段と、を具備したことを特徴とする。
【００３３】
本発明のコンテンツ記録装置は、コンテンツデータ供給源から供給されるコンテンツデータを所定時間保存して出力するバッファ手段と、このバッファ手段から出力されるコンテンツデータを蓄積するデータ蓄積手段と、コンテンツデータを送信すると共に送られてくる制御情報を受信する通信手段を備えた記録機器と、前記記録機器から通信手段を介して送られる前記コンテンツデータを受信すると共に、前記制御情報を送信する通信手段と、前記受信されたコンテンツデータを提示する提示手段とを備えたモニタと、提示しているコンテンツデータのフレームを検出し、当該フレーム情報を前記制御情報として、前記記録機器に送って、前記バッファ手段に書込まれているコンテンツデータの中から、前記フレーム情報に対応するコンテンツデータを特定して、前記データ蓄積手段に書込む制御手段と、を具備したことを特徴とする。
【発明の効果】
【００３４】
本発明によれば、モニタでコンテンツを視聴している途中で、記録動作を開始しても、視聴している内容から遅れることなく記録を実行させることができるものである。
【発明を実施するための最良の形態】
【００３５】
以下、図面を参照して、この発明のコンテンツ記録装置を詳細に説明する。図１は、本発明のコンテンツ記録装置の一実施の形態を示す回路ブロック図である。本発明のコンテンツ記録装置１００は、デジタル放送を受信する受信器１０１と、この受信器１０１で受信された放送信号を視聴するために提示するモニタ１０２で構成されており、図１（ａ）が受信器１０１を示し図１（ｂ）がモニタ１０２を示している。
【００３６】
図１（ａ）において、受信器１０１は、放送を受信するためのアンテナ１０３によって供給される放送信号から所望のチャンネルを選局して、ＭＰＥＧ２−ＴＳを出力するチューナ１０４を備える。
【００３７】
チューナ１０４の出力は、セレクタ１０５に供給され、ここで、外部入力端子１０６から供給される例えばＤＶＤプレーヤ等の再生信号と切換選択されて出力される。
【００３８】
セレクタ１０５の出力は、ＭＰＥＧデコーダ１０７でデコードされ、非圧縮のデジタル映像信号に変換されてＭＰＥＧコーデック１０８に供給される。
【００３９】
ＭＰＥＧコーデック１０８では、入力されたデジタル映像信号に対してＭＰＥＧ２規格に基づく符号化処理を行って、ＭＰＥＧ２−ＰＳを録画制御用バッファ１０９に出力する。また、ＭＰＥＧ２−ＰＥＳを生成してＭＰＥＧコンバータ１１０に出力する。
【００４０】
録画制御用バッファ１０９は、映像データとして常時一定量のフレームのバッファリングを行う機能を供えた循環形式のバッファであり、図５の回路ブロックで示した、録画が実際に開始されるまでの時間遅れを充分に吸収できる遅延量を備えている。録画制御用バッファ１０９の詳細については後述する。
【００４１】
録画制御用バッファ１０９はＡＴＡＩ／Ｆ１１１を介してデータ蓄積メディア１１２に接続され、データ蓄積メディア１１２にデータを記録することが可能である。また、データ蓄積メディア１１２に記録したデータは、ＡＴＡＩ／Ｆ１１１を介して読み出してＭＰＥＧコーデック１０８に出力することが可能である。いわゆるデータ蓄積メディア１１２に記録されたデータを再生する処理に相当する。
【００４２】
再生動作時には、ＭＰＥＧコーデック１０８では、ＡＴＡＩ／Ｆ１１１からのデータからＭＰＥＧ２−ＰＥＳを抽出して、ＭＰＥＧコンバータ１１０に導出する。
【００４３】
ＭＰＥＧコンバータ１１０は、チューナ１０４による放送受信時に、その受信信号に基づいてＭＰＥＧコーデック１０８によって生成されたＭＰＥＧ２−ＰＥＳ及び、再生動作時にＡＴＡＩ／Ｆ１１１からのデータに基づいて生成されたＭＰＥＧ２−ＰＥＳを、ＭＰＥＧ−ＴＳに変換して、無線送受信モジュール１１３に導出する。
【００４４】
無線送受信モジュール１１３では送られたＭＰＥＧ２−ＴＳに対して無線フレーム変換処理を施して、送受信アンテナ１１４から送出する。
【００４５】
また、無線送受信モジュール１１３は、モニタ１０２からのリモコン信号あるいはモニタの動作ステータス情報を送受信アンテナ１１４で受け、これをＣＰＵ１１５に送る。ＣＰＵ１１５によって、録画動作が開始されると共に、受信器１０１内の各回路部分が制御される。
【００４６】
図１（ｂ）に示すように、モニタ１０２は、受信器１０１の送受信アンテナ１１４から送られる無線フレーム変換されたＭＰＥＧ２−ＴＳを送受信アンテナ１１６で受け、送受信モジュール１１７で、無線フレーム変換処理を施してＭＰＥＧ２−ＴＳに戻し、ＭＰＥＧデコーダ１１８に出力する。
【００４７】
ＭＰＥＧデコーダ１１８では、ＭＰＥＧ２−ＴＳから番組を構成するＰＥＳを抽出してデコードしてビデオプロセッサ１１９に出力する。
【００４８】
ビデオプロセッサ１１９では、ＭＰＥＧデコーダ１１８からのデジタル映像データを標準テレビジョンフォーマットの信号に変換してディスプレイコントローラ１２０に供給し、ディスプレイコントローラ１２１によって、そのテレビジョン信号に基づいて液晶パネル等でなるディスプレイ１２２を駆動して映像を表示する。
【００４９】
さらに、モニタ１０２は、ＭＰＥＧデコーダ１１８が現在ビデオプロセッサ１１９に出力しているデータのＭＰＥＧ２のＰＴＳ（Presentation Time Stamp）で指定されるフレームデータを、再生フレーム検出回路１２２で検出してこれをＣＰＵ１２３に導出している。
【００５０】
モニタ１０２には、図示しないリモートコントローラからのリモコン信号を受けるリモコン受光部１２４が設けられ、リモコン受光部１２４で受けたリモコン信号は、ＣＰＵ１２３に供給され、モニタ１０２内の各回路部分を制御する。
【００５１】
また、受信器１０１に関するリモコン信号は、ＣＰＵ１２３から無線送受信モジュール１１７に供給され、無線フレーム変換されて送受受信アンテナ１１６から受信器１０１に向けて伝送される。
【００５２】
なお、受信器１０１及びモニタ１０２において、音声データを処理する回路ブロックが示されていないが、これは説明を分かり易くするために採った措置の結果であり、データ蓄積メディア１１２に記録され、かつ再生されるデータは、映像データと音声データを含むものであり、ＭＰＥＧコンバータ１１０から出力されるＭＰＥＧ２−ＴＳも映像データと音声データを含むものである。
【００５３】
さらにモニタ１０２には、ＭＰＥＧデコーダ１１８で復号された音声データを処理する回路ブロックと、音声信号を音声として出力するためのスピーカ等の音声出力手段が設けられているものであるが、省略されている。
【００５４】
さて、以上のように構成されたコンテンツ記録装置１００において、ユーザが、受信器１０１で受信中の放送番組をモニタ１０２で視聴中に、録画することを思い立って、図示しないリモートコントローラを操作して、録画開始のイベントを入力したとすると、その信号がリモコン受光部１２４からＣＰＵ１２３に伝送され、ＣＰＵ１２３はそれを受けて、フレーム検出回路１２２で検出されているフレーム情報を抽出して、これを動作ステータス情報、リモコン信号と共に無線送受信モジュール１１７に供給する。
【００５５】
無線送受信モジュール１１７では、それを無線フレームに変換して、送受信アンテナ１１６から送出する。
【００５６】
受信器１０１では、モニタ１０２から送出されたデータを送受信アンテナ１１４を介して無線送受信モジュール１１３で受け、ここで無線フレーム変換を行って、元の動作ステータス情報、リモコン信号及びフレーム情報を復元し、これをＣＰＵ１１５に供給する。
【００５７】
ＣＰＵ１１５はそれを受けて、録画制御用バッファ１０９で保存されているデータから、モニタ１０２から送られたフレーム情報に一致するデータを特定して、これをＡＴＡＩ／Ｆ１１１を介してデータ蓄積メディア１１２に記録するように制御する。
【００５８】
録画制御用バッファ１０９に保存されたデータの内容について、図２を参照して説明する。図２において、リング状に示される面積が例えば、録画制御用バッファのバッファとしての全容量を示している。書込みポインタ（Write Pointer）は、この録画制御用バッファ１０９に入力される最新の入力データの書込み位置を示し、矢印方向Ａ方向に順次最新のデータが書き込まれる。また、バッファエンドポインタ（Buffer End Pointer）は、バッファリングしたデータ領域の最古のデータ位置を示し、これも矢印Ｃ方向に順次更新される。記録ポインタ（Rec Pointer）は、データ蓄積メディア１１２への転送データ位置を示し、矢印Ｂ方向に、書込みポインタを追いかけて移動する。ＣＰＵ１１５は、録画用バッファ１０９がオーバフローしたりアンダーフローしたりしないように制御する。
【００５９】
ＣＰＵ１１５は、モニタ１０２から送られたフレーム情報に基づき、図２に示す記録ポインタを特定して、その位置から、データをデータ蓄積メディア１１２に記録するように制御する。
【００６０】
録画制御用バッファ１０９の容量は、ユーザが録画開始のイベントを入力してから実際に録画が開始されるまでの遅れ時間を吸収するに充分な容量を備えており、モニタ１０２から送られるフレーム情報に基づいて、録画制御用バッファ１０９から同じフレームを探して、それを記録ポインタに設定して録画を開始するものである。
【００６１】
図３は、ユーザが録画開始のイベントを入力してから、実際に録画が開始されるまでの処理の経過時間を説明するためのタイミングチャートである。
【００６２】
図３において、ユーザがチャンネル切換のイベントを入力した際の処理の経過時間を点線３０１で示し、録画開始イベントを入力した際の処理の経過時間を実線３０２で示す。
【００６３】
ユーザが、図示しないリモートコントローラを操作して、チャンネル切換のイベント入力をしたとすると、モニタ１０２のＣＰＵ１２３がそれを受けて、リモコン信号を無線送受信モジュール１１７に送り、無線送受信モジュール１１７では無線フレーム変換処理を行う。
【００６４】
次に、無線送受信モジュール１１７は、無線フレーム変換されたリモコン信号を無線で受信器１０１に送り、受信器１０１では送られたデータを無線フレーム変換処理で元に戻す。
【００６５】
次に、受信器１０１はＣＰＵ１１５でリモコン情報を解読して、チューナ１０４のチャンネルを切換える。さらに、受信した信号のデコード及びエンコード処理を実行して、ＴＳへのストリーム変換処理を行う。さらに変換されたＭＰＥＧ２−ＴＳを、無線フレーム変換を経て無線通信でモニタ１０２に送る。
【００６６】
モニタ１０２では、無線フレーム変換を実行した後、ストリームデコード処理を実行し、さらにビデオプロセッサで処理して、ディスプレイに表示させる。それによってユーザが画面を確認することができる。
【００６７】
ユーザがチャンネル切換のイベントを入力してから、選択されたチャンネルの映像がディスプレイで表示されるまでの、処理の過程でそれぞれ所定の処理時間が費やされ、結局、トータルとしてＴｃ時間が必要になることが示されている。なお、このとき、ＭＰＥＧ２−ＰＳとして符号化されたデータが、録画制御用バッファ処理でバッファ１０９に所定容量分、順次更新されながら書き込まれる。
【００６８】
さらに、図３において、ユーザが録画開始を指示するイベントを入力したとすると、モニタ１０２のＣＰＵ１２３がそれを受けて、再生フレーム検出回路１２２からフレーム情報を取得し、取得したフレーム情報と、リモコン信号と、動作ステータス情報とを無線送受信モジュール１１７に送って無線フレーム変換処理を行う。
【００６９】
次に、無線送受信モジュール１１７は、無線フレーム変換されたフレーム情報、リモコン信号及び動作ステータス情報を無線で受信器１０１に送り、受信器１０１では送られたデータを無線フレーム変換処理で元に戻す。
【００７０】
次に、受信器１０１はＣＰＵ１１５で、フレーム情報。リモコン信号及び動作ステータス情報を解読して、録画制御用バッファ１０９に保存されているデータからフレーム情報に対応するデータを特定して、そのデータを記録ポイントタとして設定し、蓄積メディアへのアクセス処理で、データ蓄積メディア１１２へデータの記録を開始するものである。
【００７１】
それによって、ユーザがモニタ１０２で視聴中のコンテンツの内容に対して、時間的遅れを生じさせることなく、コンテンツを記録することができるものである。
【００７２】
図４は、本発明のコンテンツ記録装置の他の実施の形態の一例を示すものであり、この実施の形態では、コンテンツ記録装置４００は、図４（ａ）で示す受信器４０１と、図４（ｂ）に示すモニタ４０２ａ及びこのモニタ４０２と同等に構成されたモニタ４０２ｂで構成される。なお、図４において、図１と同じ構成部分に同じ符号を付して詳細な説明は省略する。
【００７３】
受信器４０１は、図１に示す受信器１０１に対して、録画制御用バッファ４０３が、複数のモニタ４０２ａ，４０２ｂのそれぞれに対応した保存領域を備えたものとして構成され、さらに、データ蓄積メディアとして、ＤＶＤドライブ４０４とＨＤＤ４０５が設けられている。
【００７４】
さらにまた、リモコン信号を送出するためのリモコン発光部４０６が設けられ、このリモコン発光部４０６から例えば、図示しないＤＶＤプレーヤを制御して、再生したデータを外部入力端子１０６から入力させ、セレクタ１０５で選択することも可能である。リモコン発光部４０６からのリモコン信号は例えば、ユーザがモニタ４０２ａに対して図示しないリモートコントローラでリモコン信号を送り、これを受信器４０１に伝送し、ＣＰＵ１１５がそれに基づいて生成するように構成することが可能である。
【００７５】
また、モニタ４０２ａは、実質的に図１（ｂ）に示すモニタ１０２と同構成であるが、受信器４０１のリモコン発光部４０６から送信されるリモコン信号を、モニタ４０２ａから送るために、リモコン受光部１２４で受けたリモコン信号をＣＰＵ１２３を経由せずに直接、無線送受信モジュール１１７に送出する経路が設けられている。
【００７６】
図４に示す実施の形態によれば、モニタが複数設けられていても、録画制御用バッファのデータ保存領域を各モニタ用にそれぞれ設けたので、各モニタで視聴中のコンテンツを、時間的遅れを発生させることなくデータ蓄積メディアに記録させることができるものである。
【００７７】
なお、以上の説明では、本発明のコンテンツ記録装置を、受信器とモニタに分け、それらを双方向無線通信で接続するものとして説明したが、本発明は無線通信手段を適用した装置に限定されるものではなく、受信器とモニタが一体的に組み合わされた装置にも適用できるものである。その他本発明の趣旨を逸脱しない範囲で種々実施可能である
【図面の簡単な説明】
【００７８】
【図１】本発明に係るコンテンツ記録装置の一実施の形態を示す回路ブロック図。
【図２】図１に示す装置の要部の動作を説明するための構成図。
【図３】図１に示す装置の動作を説明するためのタイミングチャート。
【図４】本発明に係るコンテンツ記録装置の他の実施の形態を示す回路ブロック図。
【図５】一般的なコンテンツ記録装置を示す回路ブロック図。
【図６】図５に示す装置の動作のタイミングチャートを説明するための図。
【符号の説明】
【００７９】
１００…コンテンツ記録装置
１０１…受信器
１０２…モニタ
１０３…放送受信アンテナ
１０４…チューナ
１０５…セレクタ
１０６…外部入力端子
１０７…ＭＰＥＧデコーダ
１０８…ＭＰＥＧコーデック
１０９…録画制御用バッファ
１１０…ＭＰＥＧコンバータ
１１１…ＡＴＡＩ／Ｆ
１１２…データ蓄積メディア
１１３，１１７…無線送受信モジュール
１１４，１１６…送受信アンテナ
１１５，１２３…ＣＰＵ
１１８…ＭＰＥＧデコーダ
１１９…ビデオプロセッサ
１２０…ディスプレイコントローラ
１２１…ディスプレイ
１２２…フレーム検出回路
１２４…リモコン受光部
【図１】
2006019856.tif 000003
【図２】
2006019856.tif 000004
【図３】
2006019856.tif 000005
【図４】
2006019856.tif 000006
【図５】
2006019856.tif 000007
【図６】
2006019856.tif 000008